(57)【要約】【課題】利用者に負担をかけずに、制約のある通信端末に最適な形式でコンテンツを出力させる。【解決手段】抽出部２０１が閲覧要求信号から抽出した宛先情報と端末種別情報とに基づいて、送信先決定部２０２が、閲覧要求信号の送信先をＷｅｂサーバとモビライザとのいずれかに決定し、送信部２０３が、送信先決定部２０２が決定した送信先へ、閲覧要求信号を送信する。【選択図】図２
2014056394.tif 000002
【特許請求の範囲】
【請求項１】
通信端末から送信された、コンテンツの閲覧を要求するための閲覧要求信号から、閲覧先を示す宛先情報と、該通信端末の種別を示す端末種別情報とを抽出する抽出部と、
前記抽出部が抽出した宛先情報と端末種別情報とに基づいて、該閲覧要求信号の送信先を、前記閲覧先と前記コンテンツの出力形式を変換する変換手段とのいずれか一方に決定する送信先決定部と、
前記送信先決定部が決定した送信先へ、前記閲覧要求信号を送信する送信部とを有し、
前記送信先決定部は、前記抽出部が抽出した宛先情報および端末種別情報と、最適化可否データベースに記憶されている宛先情報、端末種別情報およびコンテンツの出力形式の変換の要否とに基づいて、該閲覧要求信号の送信先を決定する制御装置。
【請求項２】
請求項１に記載の制御装置において、
前記閲覧要求信号を生成し、該生成した閲覧要求信号を所定のタイミングで前記送信部を介して前記閲覧先へ送信し、該閲覧先から送信されてきたコンテンツに基づいて、前記コンテンツの出力形式の変換の要否を判定し、該判定した結果と、該閲覧要求信号に含まれる前記宛先情報および前記端末種別情報とを対応付けて前記最適化可否データベースに登録する登録部を有することを特徴とする制御装置。
【請求項３】
請求項２に記載の制御装置において、
前記送信先決定部は、前記閲覧要求信号の送信先を前記変換手段に決定した場合、前記宛先情報と、前記変換手段を識別するための変換手段識別情報と、該変換手段にて該宛先情報が示す閲覧先から送信されるコンテンツの出力形式を変換可能かどうかを示す変換可否情報とを対応付けて記憶する対応可否データベースにて、変換可能を示す変換可否情報と対応付けられている変換手段識別情報が付与された変換手段を送信先として決定することを特徴とする制御装置。
【請求項４】
請求項３に記載の制御装置において、
前記登録部は、前記生成した閲覧要求信号を所定のタイミングで前記送信部を介して前記変換手段へ送信し、該変換手段から送信されてきたコンテンツに基づいて、該閲覧要求信号に含まれる前記宛先情報と、該変換手段を識別するための変換手段識別情報と、前記変換可否情報とを対応付けて前記対応可否データベースに登録することを特徴とする制御装置。
【請求項５】
請求項２から４のいずれか１項に記載の制御装置において、
前記登録部は、前記閲覧要求信号の送信履歴を指示内容データベースに登録し、
前記送信先決定部は、前記指示内容データベースに記憶された送信履歴に基づいて、前記閲覧要求信号の送信先を決定することを特徴とする制御装置。
【請求項６】
請求項１から４のいずれか１項に記載の制御装置において、
前記最適化可否データベースを具備することを特徴とする制御装置。
【請求項７】
請求項３または請求項４に記載の制御装置において、
前記対応可否データベースを具備することを特徴とする制御装置。
【請求項８】
請求項１から７のいずれか１項に記載の制御装置において、
前記端末種別情報は、前記通信端末において動作するソフトウェアを示す情報であることを特徴とする制御装置。
【請求項９】
通信端末と、制御装置と、コンテンツの出力形式を変換する変換手段と、最適化可否データベースとを有する通信システムにおいて、
前記最適化可否データベースは、前記コンテンツの閲覧先を示す宛先情報と、前記通信端末の種別を示す端末種別情報と、コンテンツの出力形式の変換の要否とを対応付けて記憶し、
前記制御装置は、
前記通信端末から送信された、コンテンツの閲覧を要求するための閲覧要求信号から、前記宛先情報と前記端末種別情報とを抽出する抽出部と、
前記抽出部が抽出した宛先情報と端末種別情報とに基づいて、該閲覧要求信号の送信先を、前記閲覧先と前記変換手段とのいずれか一方に決定する送信先決定部と、
前記送信先決定部が決定した送信先へ、前記閲覧要求信号を送信する送信部とを有し、
前記送信先決定部は、前記抽出部が抽出した宛先情報および端末種別情報と、前記最適化可否データベースに記憶されている対応付けとに基づいて、該閲覧要求信号の送信先を決定することを特徴とする通信システム。
【請求項１０】
請求項９に記載の通信システムにおいて、
前記制御装置は、
前記閲覧要求信号を生成し、該生成した閲覧要求信号を所定のタイミングで前記送信部を介して前記閲覧先へ送信し、該閲覧先から送信されてきたコンテンツに基づいて、前記コンテンツの出力形式の変換の要否を判定し、該判定した結果と、該閲覧要求信号に含まれる前記宛先情報および前記端末種別情報とを対応付けて前記最適化可否データベースに登録する登録部を有することを特徴とする通信システム。
【請求項１１】
請求項１０に記載の通信システムにおいて、
前記宛先情報と、前記変換手段を識別するための変換手段識別情報と、該変換手段にて該宛先情報が示す閲覧先から送信されるコンテンツの出力形式を変換可能かどうかを示す変換可否情報とを対応付けて記憶する対応可否データベースを有し、
前記送信先決定部は、前記閲覧要求信号の送信先を前記変換手段に決定した場合、前記対応可否データベースにて、変換可能を示す前記変換可否情報と対応付けられている前記変換手段識別情報が付与された変換手段を送信先として決定することを特徴とする通信システム。
【請求項１２】
請求項１１に記載の通信システムにおいて、
前記登録部は、前記生成した閲覧要求信号を所定のタイミングで前記送信部を介して前記変換手段へ送信し、該変換手段から送信されてきたコンテンツに基づいて、該閲覧要求信号に含まれる前記宛先情報と、該変換手段を識別するための変換手段識別情報と、前記変換可否情報とを対応付けて前記対応可否データベースに登録することを特徴とする通信システム。
【請求項１３】
コンテンツの閲覧を制御する制御方法であって、
通信端末から送信された、コンテンツの閲覧を要求するための閲覧要求信号から、閲覧先を示す宛先情報と、該通信端末の種別を示す端末種別情報とを抽出する処理と、
前記抽出した宛先情報および端末種別情報と、最適化可否データベースに記憶されている宛先情報、端末種別情報およびコンテンツの出力形式の変換の要否とに基づいて、該閲覧要求信号の送信先を、前記閲覧先と前記コンテンツの出力形式を変換する変換手段とのいずれか一方に決定する処理と、
前記決定した送信先へ前記閲覧要求信号を送信する処理とを行う制御方法。
【請求項１４】
請求項１３に記載の制御方法において、
前記閲覧要求信号を生成する処理と、
前記生成した閲覧要求信号を所定のタイミングで前記閲覧先へ送信する処理と、
前記閲覧先から送信されてきたコンテンツに基づいて、前記コンテンツの出力形式の変換の要否を判定する処理と、
前記判定した結果と、該閲覧要求信号に含まれる前記宛先情報および前記端末種別情報とを対応付けて前記最適化可否データベースに登録する処理とを行うことを特徴とする制御方法。
【請求項１５】
請求項１４に記載の制御方法において、
前記閲覧要求信号の送信先を前記変換手段に決定した場合、前記宛先情報と、前記変換手段を識別するための変換手段識別情報と、該変換手段にて該宛先情報が示す閲覧先から送信されるコンテンツの出力形式を変換可能かどうかを示す変換可否情報とを対応付けて記憶する対応可否データベースにて、変換可能を示す変換可否情報と対応付けられている変換手段識別情報が付与された変換手段を送信先として決定する処理を行うことを特徴とする制御方法。
【請求項１６】
請求項１５に記載の制御方法において、
前記生成した閲覧要求信号を所定のタイミングで前記変換手段へ送信する処理と、
前記変換手段から送信されてきたコンテンツに基づいて、該閲覧要求信号に含まれる前記宛先情報と、該変換手段を識別するための変換手段識別情報と、前記変換可否情報とを対応付けて前記対応可否データベースに登録する処理とを行うことを特徴とする制御方法。
【請求項１７】
コンピュータに、
通信端末から送信された、コンテンツの閲覧を要求するための閲覧要求信号から、閲覧先を示す宛先情報と、該通信端末の種別を示す端末種別情報とを抽出する手順と、
前記抽出した宛先情報および端末種別情報と、最適化可否データベースに記憶されている宛先情報、端末種別情報およびコンテンツの出力形式の変換の要否とに基づいて、該閲覧要求信号の送信先を、前記閲覧先と前記コンテンツの出力形式を変換する変換手段とのいずれか一方に決定する手順と、
前記決定した送信先へ前記閲覧要求信号を送信する手順とを実行させるためのプログラム。
【請求項１８】
請求項１７に記載のプログラムにおいて、
前記閲覧要求信号を生成する手順と、
前記生成した閲覧要求信号を所定のタイミングで前記閲覧先へ送信する手順と、
前記閲覧先から送信されてきたコンテンツに基づいて、前記コンテンツの出力形式の変換の要否を判定する手順と、
前記判定した結果と、該閲覧要求信号に含まれる前記宛先情報および前記端末種別情報とを対応付けて前記最適化可否データベースに登録する手順とを実行させるためのプログラム。
【請求項１９】
請求項１８に記載のプログラムにおいて、
前記閲覧要求信号の送信先を前記変換手段に決定した場合、前記宛先情報と、前記変換手段を識別するための変換手段識別情報と、該変換手段にて該宛先情報が示す閲覧先から送信されるコンテンツの出力形式を変換可能かどうかを示す変換可否情報とを対応付けて記憶する対応可否データベースにて、変換可能を示す変換可否情報と対応付けられている変換手段識別情報が付与された変換手段を送信先として決定する手順を実行させるためのプログラム。
【請求項２０】
請求項１９に記載のプログラムにおいて、
前記生成した閲覧要求信号を所定のタイミングで前記変換手段へ送信する手順と、
前記変換手段から送信されてきたコンテンツに基づいて、該閲覧要求信号に含まれる前記宛先情報と、該変換手段を識別するための変換手段識別情報と、前記変換可否情報とを対応付けて前記対応可否データベースに登録する手順とを実行させるためのプログラム。
【発明の詳細な説明】
【技術分野】
【０００１】
本発明は、コンテンツの配信を制御する制御装置、通信システム、制御方法およびプログラムに関する。
【背景技術】
【０００２】
近年、高機能な携帯端末の普及により、携帯端末からのＷｅｂ閲覧といったインターネット利用が可能となっている。しかしながら、インターネット上には依然として、一般的なＰＣ（Ｐｅｒｓｏｎａｌ  Ｃｏｍｐｕｔｅｒ）から有線ＦＴＴＨ（Ｆｉｂｅｒ  Ｔｏ  Ｔｈｅ  Ｈｏｍｅ）等の通信回線を介したブロードバンド向けのサイトが多く存在する。
【０００３】
モバイル回線自体は、有線ＦＴＴＨ等のブロードバンド回線に比べ、通信速度等の点で能力が低い。そのため、上述したようなサイトは、高機能な携帯端末からはアクセス（閲覧）可能であるが、快適に閲覧できるとはいえない状況である。
【０００４】
そこで、Ｗｅｂサーバから配信される画像等のコンテンツのフォーマットを携帯端末における表示に適したフォーマットへ変換するシステムが考えられている（例えば、特許文献１参照。）。また、このようなフォーマット変換を行うサービスとして、モビライザが挙げられる。
【先行技術文献】
【特許文献】
【０００５】
【特許文献１】特開２００２−２５９２７９号公報
【発明の概要】
【発明が解決しようとする課題】
【０００６】
しかしながら、特許文献１に記載されたような技術においては、サイトによっては変換が不要なサイトもあるため、フォーマットを変換する必要があるか否かを利用者が判断しなければならないという問題点がある。また、フォーマットの変換を行いたい場合、その変換を行うモビライザと接続するためのＵＲＬ（Ｕｎｉｆｏｒｍ  Ｒｅｓｏｕｒｃｅ  Ｌｏｃａｔｏｒ）等の入力を行わなければならないという問題点がある。
【０００７】
本発明の目的は、上述した課題を解決する制御装置、通信システム、制御方法およびプログラムを提供することである。
【課題を解決するための手段】
【０００８】
本発明の制御装置は、
通信端末から送信された、コンテンツの閲覧を要求するための閲覧要求信号から、閲覧先を示す宛先情報と、該通信端末の種別を示す端末種別情報とを抽出する抽出部と、
前記抽出部が抽出した宛先情報と端末種別情報とに基づいて、該閲覧要求信号の送信先を、前記閲覧先と前記コンテンツの出力形式を変換する変換手段とのいずれか一方に決定する送信先決定部と、
前記送信先決定部が決定した送信先へ、前記閲覧要求信号を送信する送信部とを有し、
前記送信先決定部は、前記抽出部が抽出した宛先情報および端末種別情報と、最適化可否データベースに記憶されている宛先情報、端末種別情報およびコンテンツの出力形式の変換の要否とに基づいて、該閲覧要求信号の送信先を決定する。
【０００９】
また、本発明の通信システムは、
通信端末と、制御装置と、コンテンツの出力形式を変換する変換手段と、最適化可否データベースとを有する通信システムであって、
前記最適化可否データベースは、前記コンテンツの閲覧先を示す宛先情報と、前記通信端末の種別を示す端末種別情報と、コンテンツの出力形式の変換の要否とを対応付けて記憶し、
前記制御装置は、
前記通信端末から送信された、コンテンツの閲覧を要求するための閲覧要求信号から、前記宛先情報と前記端末種別情報とを抽出する抽出部と、
前記抽出部が抽出した宛先情報と端末種別情報とに基づいて、該閲覧要求信号の送信先を、前記閲覧先と前記変換手段とのいずれか一方に決定する送信先決定部と、
前記送信先決定部が決定した送信先へ、前記閲覧要求信号を送信する送信部とを有し、
前記送信先決定部は、前記抽出部が抽出した宛先情報および端末種別情報と、前記最適化可否データベースに記憶されている対応付けとに基づいて、該閲覧要求信号の送信先を決定することを特徴とする。
【００１０】
また、本発明の制御方法は、
コンテンツの閲覧を制御する制御方法であって、
通信端末から送信された、コンテンツの閲覧を要求するための閲覧要求信号から、閲覧先を示す宛先情報と、該通信端末の種別を示す端末種別情報とを抽出する処理と、
前記抽出した宛先情報および端末種別情報と、最適化可否データベースに記憶されている宛先情報、端末種別情報およびコンテンツの出力形式の変換の要否とに基づいて、該閲覧要求信号の送信先を、前記閲覧先と前記コンテンツの出力形式を変換する変換手段とのいずれか一方に決定する処理と、
前記決定した送信先へ前記閲覧要求信号を送信する処理とを行う。
【００１１】
また、本発明のプログラムは、
コンピュータに実行させるためのプログラムであって、
通信端末から送信された、コンテンツの閲覧を要求するための閲覧要求信号から、閲覧先を示す宛先情報と、該通信端末の種別を示す端末種別情報とを抽出する手順と、
前記抽出した宛先情報および端末種別情報と、最適化可否データベースに記憶されている宛先情報、端末種別情報およびコンテンツの出力形式の変換の要否とに基づいて、該閲覧要求信号の送信先を、前記閲覧先と前記コンテンツの出力形式を変換する変換手段とのいずれか一方に決定する手順と、
前記決定した送信先へ前記閲覧要求信号を送信する手順とを実行させる。
【発明の効果】
【００１２】
以上説明したように、本発明においては、利用者に負担をかけずに、制約のある通信端末に最適な形式でコンテンツを出力させることができる。
【図面の簡単な説明】
【００１３】
【図１】本発明の通信システムの実施の一形態を示す図である。
【図２】図１に示した制御装置の内部構成の一例を示す図である。
【図３】図２に示したデータベース内の最適化可否データベースに記憶されている情報の一例を示す図である。
【図４】図２に示したデータベース内の対応可否データベースに記憶されている情報の一例を示す図である。
【図５】図２に示したデータベース内の指示内容データベースに記憶されている情報の一例を示す図である。
【図６】図２に示したデータベース内の指示内容データベースに記憶されている情報の他の例を示す図である。
【図７】図１に示した通信システムにおける制御方法を説明するためのフローチャートである。
【図８】図２に示した登録部が閲覧要求信号を生成し、モビライザやＷｅｂサーバへ送信して、その結果をデータベースに登録する登録処理の一例を説明するためのフローチャートである。
【発明を実施するための形態】
【００１４】
以下に、本発明の実施の形態について図面を参照して説明する。
【００１５】
図１は、本発明の通信システムの実施の一形態を示す図である。
【００１６】
本形態は図１に示すように、携帯端末１００と、制御装置２００と、データベース３００と、モビライザ４００と、Ｗｅｂサーバ５００−１〜５００−ｎ（ｎは、自然数）とが設けられている。また、制御装置２００と、モビライザ４００と、Ｗｅｂサーバ５００−１〜５００−ｎとが、互いにインターネット６００を介して接続されている。また、携帯端末１００およびモビライザ４００は、それぞれ複数であっても良い。
【００１７】
携帯端末１００は、スマートフォンや多機能携帯端末、携帯型ゲーム機などの利用者が携帯可能な通信端末や家庭用の据え置き型テレビゲーム機やＴＶ用セットトップボックス、タブレット端末などであり、ＰＣ等と比較して、処理性能、設定可能な機能、利用可能なネットワーク帯域、画面の大きさなどで著しく制約のある通信端末（以下、非力な端末と称する）の情報を表示する通信端末である。また、携帯端末１００は、利用者がコンテンツを閲覧するために閲覧先のＵＲＬ等を入力すると、その入力操作に基づいて、当該コンテンツの閲覧を要求するための閲覧要求信号（ＨＴＴＰリクエスト）を、閲覧先へ送信する。
【００１８】
制御装置２００は、携帯端末１００から送信された閲覧要求信号を受信すると、受信した閲覧要求信号を、インターネット６００を介して、モビライザ４００またはＷｅｂサーバ５００−１〜５００−ｎへ送信する。また、制御装置２００は、モビライザ４００またはＷｅｂサーバ５００−１〜５００−ｎからインターネット６００を介して送信されてきたコンテンツを携帯端末１００へ送信する。
【００１９】
図２は、図１に示した制御装置２００の内部構成の一例を示す図である。
【００２０】
図１に示した制御装置２００には図２に示すように、抽出部２０１と、送信先決定部２０２と、送信部２０３と、登録部２０４が設けられている。
【００２１】
抽出部２０１は、携帯端末１００から送信された閲覧要求信号から、閲覧先を示す宛先情報と、携帯端末１００の種別を示す端末種別情報とを抽出する。この端末種別情報とは、携帯端末１００において動作するソフトウェア（ブラウザやＯＳ等の種類）を示す情報であり、情報を表示（出力）する形式が判別できるものである。
【００２２】
送信先決定部２０２は、抽出部２０１が抽出した宛先情報と端末種別情報とに基づいて、閲覧要求信号の送信先を、Ｗｅｂサーバ５００−１〜５００−ｎとモビライザ４００とのいずれか一方に決定する。具体的には、送信先決定部２０２は、抽出部２０１が抽出した宛先情報および端末種別情報と、データベース３００内の最適化可否データベースに記憶されている宛先情報、端末種別情報およびコンテンツの出力形式の変換の要否とに基づいて、閲覧要求信号の送信先を決定する。また、送信先決定部２０２は、閲覧要求信号の送信先をモビライザ４００に決定した場合、宛先情報と、モビライザ４００を識別するための変換手段識別情報と、モビライザ４００にてその宛先情報が示す閲覧先から送信されるコンテンツの出力形式を変換可能かどうかを示す変換可否情報とを対応付けて記憶する対応可否データベース（データベース３００内に具備）にて、変換可能を示す変換可否情報と対応付けられている変換手段識別情報が付与されたモビライザを送信先として決定する。また、送信先決定部２０２は、データベース３００内の指示内容データベースに記憶された送信履歴に基づいて、閲覧要求信号の送信先を決定する。
【００２３】
ここで、出力形式の変換とは、コンテンツの表示サイズや画質、画素数、容量の変換、不要な情報（例えば、広告）の削除（圧縮）等、出力（表示）を行う情報処理装置に応じた出力形式へ最適化することを言う。
【００２４】
送信部２０３は、送信先決定部２０２が決定した送信先へ、閲覧要求信号を送信する。
【００２５】
登録部２０４は、閲覧要求信号を生成する。また、登録部２０４は、生成した閲覧要求信号を所定のタイミングで送信部２０３を介してＷｅｂサーバ５００−１〜５００−ｎへ送信する。その後、登録部２０４は、Ｗｅｂサーバ５００−１〜５００−ｎから送信されてきたコンテンツに基づいて、コンテンツの出力形式の変換の要否を判定し、判定した結果と、生成した閲覧要求信号に含まれる宛先情報および端末種別情報とを対応付けて最適化可否データベースに登録する。また、登録部２０４は、コンテンツの出力形式の変換が必要であると判定した場合、生成した閲覧要求信号を所定のタイミングで送信部２０３を介してモビライザ４００へ送信する。その後、登録部２０４は、モビライザ４００から送信されてきたコンテンツに基づいて、生成した閲覧要求信号に含まれる宛先情報と、その宛先情報が示すＷｅｂサーバ５００−１〜５００−ｎから送信されるコンテンツの出力形式を変換可能なモビライザ４００を識別するための変換手段識別情報とを対応付けて対応可否データベースに登録する。また、登録部２０４は、閲覧要求信号の送信履歴を指示内容データベースに登録する。
【００２６】
データベース３００は、送信先決定部２０２が閲覧要求信号の送信先を決定するための情報を記憶する。また、データベース３００は、最適化可否データベースと、対応可否データベースと、指示内容データベースとから構成される。
【００２７】
図３は、図２に示したデータベース３００内の最適化可否データベースに記憶されている情報の一例を示す図である。
【００２８】
図２に示したデータベース３００内の最適化可否データベースには図３に示すように、宛先情報であるサイトＵＲＬと、確認時刻と、端末種別を示す端末種別情報と、最適化可否情報とが対応付けられて記憶されている。
【００２９】
例えば、図３に示すように、サイトＵＲＬ「ｈｔｔｐ：／／ｗｗｗ．ｓａｍｐｌｅ１．．．」と、確認時刻「２０１２／７／１３  １０：００：００」と、端末種別情報「Ａ」および「Ｂ」と、最適可否情報「可」とが対応付けられて記憶されている。これは、端末種別が「Ａ」または「Ｂ」である携帯端末から、宛先情報であるＵＲＬが「ｈｔｔｐ：／／ｗｗｗ．ｓａｍｐｌｅ１．．．」であるサイトへアクセス（閲覧要求）が行われた場合、当該サイトから送信されてくるコンテンツは当該携帯端末における出力形式に最適化されていることが、２０１２年７月１３日１０時に確認されたことを示している。つまり、端末種別が「Ａ」または「Ｂ」である携帯端末から、宛先情報であるＵＲＬが「ｈｔｔｐ：／／ｗｗｗ．ｓａｍｐｌｅ１．．．」であるサイトへアクセス（閲覧要求）が行われた場合、当該サイトから送信されてくるコンテンツはモビライザ４００にて出力形式の変換を行う必要がないことを示している。これにより、端末種別が「Ａ」または「Ｂ」である携帯端末から、宛先情報であるＵＲＬが「ｈｔｔｐ：／／ｗｗｗ．ｓａｍｐｌｅ１．．．」であるサイトへアクセス（閲覧要求）が行われた場合、送信先決定部２０２は、当該携帯端末から送信されてきた閲覧要求信号の送信先を、「ｈｔｔｐ：／／ｗｗｗ．ｓａｍｐｌｅ１．．．」（Ｗｅｂサーバ）に決定する。また、サイトＵＲＬ「ｈｔｔｐ：／／ｗｗｗ．ｓａｍｐｌｅ１．．．」と、確認時刻「２０１２／７／１３  １０：０１：００」と、端末種別情報「Ｃ」と、最適可否情報「否」とが対応付けられて記憶されている。これは、端末種別が「Ｃ」である携帯端末から、宛先情報であるＵＲＬが「ｈｔｔｐ：／／ｗｗｗ．ｓａｍｐｌｅ１．．．」であるサイトへアクセス（閲覧要求）が行われた場合、当該サイトから送信されてくるコンテンツは当該携帯端末における出力形式に最適化されていないことが、２０１２年７月１３日１０時１分に確認されたことを示している。つまり、端末種別が「Ｃ」である携帯端末から、宛先情報であるＵＲＬが「ｈｔｔｐ：／／ｗｗｗ．ｓａｍｐｌｅ１．．．」であるサイトへアクセス（閲覧要求）が行われた場合、当該サイトから送信されてくるコンテンツはモビライザ４００にて出力形式の変換を行う必要があることを示している。これにより、端末種別が「Ｃ」である携帯端末から、宛先情報であるＵＲＬが「ｈｔｔｐ：／／ｗｗｗ．ｓａｍｐｌｅ１．．．」であるサイトへアクセス（閲覧要求）が行われた場合、送信先決定部２０２は、当該携帯端末から送信されてきた閲覧要求信号の送信先を、モビライザ４００に決定する。
【００３０】
図４は、図２に示したデータベース３００内の対応可否データベースに記憶されている情報の一例を示す図である。
【００３１】
図２に示したデータベース３００内の対応可否データベースには図４に示すように、宛先情報であるサイトＵＲＬと、確認時刻と、モビライザを識別するための変換手段識別情報であるモビライザ種別情報と、変換可否情報であるモビライザ可否情報とが対応付けられて記憶されている。このモビライザ種別情報は、制御装置２００が閲覧要求信号をモビライザ４００へ送信する際に、送信先として指定できる情報である。
【００３２】
例えば、図４に示すように、サイトＵＲＬ「ｈｔｔｐ：／／ｗｗｗ．ｓａｍｐｌｅ１．．．」と、確認時刻「２０１２／７／１３  １０：００：００」と、モビライザ種別情報「Ａ＿ＧＷ」と、モビライザ可否情報「否」とが対応付けられて記憶されている。これは、宛先情報であるＵＲＬが「ｈｔｔｐ：／／ｗｗｗ．ｓａｍｐｌｅ１．．．」であるサイトから送信されてくるコンテンツは、モビライザ種別情報が「Ａ＿ＧＷ」であるモビライザでは、出力形式の変換ができないことが、２０１２年７月１３日１０時に確認されたことを示している。また、サイトＵＲＬ「ｈｔｔｐ：／／ｗｗｗ．ｓａｍｐｌｅ１．．．」と、確認時刻「２０１２／７／１３  １０：０１：００」と、モビライザ種別情報「Ｂ＿ＧＷ」と、モビライザ可否情報「可」とが対応付けられて記憶されている。これは、宛先情報であるＵＲＬが「ｈｔｔｐ：／／ｗｗｗ．ｓａｍｐｌｅ１．．．」であるサイトから送信されてくるコンテンツは、モビライザ種別情報が「Ｂ＿ＧＷ」であるモビライザでは、出力形式の変換ができることが、２０１２年７月１３日１０時１分に確認されたことを示している。
【００３３】
図５は、図２に示したデータベース３００内の指示内容データベースに記憶されている情報の一例を示す図である。
【００３４】
図２に示したデータベース３００内の指示内容データベースには図５に示すように、利用者を識別するためのユーザＩＤと、端末種別情報と、宛先情報であるサイトＵＲＬと、指示内容とが対応付けられて記憶されている。
【００３５】
例えば、図５に示すように、ユーザＩＤ「ＡＢＣ」と、端末種別情報「Ｃ」と、サイトＵＲＬ「ｈｔｔｐ：／／ｗｗｗ．ｓａｍｐｌｅ１．．．」と、指示内容「モビライザ＝Ｃ＿ＧＷ」とが対応付けられて記憶されている。これは、ユーザＩＤが「ＡＢＣ」であり、端末種別が「Ｃ」である携帯端末から、ＵＲＬが「ｈｔｔｐ：／／ｗｗｗ．ｓａｍｐｌｅ１．．．」であるサイトへのアクセス（閲覧要求）が行われた場合、モビライザ種別情報が「Ｃ＿ＧＷ」であるモビライザを使用する指示を示している。つまり、ユーザＩＤが「ＡＢＣ」であり、端末種別が「Ｃ」である携帯端末から、ＵＲＬが「ｈｔｔｐ：／／ｗｗｗ．ｓａｍｐｌｅ１．．．」であるサイトへのアクセス（閲覧要求）が行われた場合、送信先決定部２０２は、当該閲覧要求信号の送信先をモビライザ種別情報が「Ｃ＿ＧＷ」であるモビライザに決定する。また、ユーザＩＤ「ＡＢＣ」と、端末種別情報「Ｄ」と、サイトＵＲＬ「ｈｔｔｐ：／／ｗｗｗ．ｓａｍｐｌｅ２．．．」と、指示内容「モビライザ＝ＮＯ＿ＵＳＥ」とが対応付けられて記憶されている。これは、ユーザＩＤが「ＡＢＣ」であり、端末種別が「Ｄ」である携帯端末から、ＵＲＬが「ｈｔｔｐ：／／ｗｗｗ．ｓａｍｐｌｅ２．．．」であるサイトへのアクセス（閲覧要求）が行われた場合、モビライザを使用しない指示を示している。つまり、ユーザＩＤが「ＡＢＣ」であり、端末種別が「Ｄ」である携帯端末から、ＵＲＬが「ｈｔｔｐ：／／ｗｗｗ．ｓａｍｐｌｅ２．．．」であるサイトへのアクセス（閲覧要求）が行われた場合、送信先決定部２０２は、当該携帯端末から送信されてきた閲覧要求信号の送信先を、「ｈｔｔｐ：／／ｗｗｗ．ｓａｍｐｌｅ２．．．」（Ｗｅｂサーバ）に決定する。また、ユーザＩＤ「ＡＢＣ」と、端末種別情報「Ｄ」と、サイトＵＲＬ「ｈｔｔｐ：／／ｗｗｗ．ｓａｍｐｌｅ３．．．」と、指示内容「モビライザ＝ＮＯ＿ＵＳＥ」とが対応付けられて記憶されている。これは、ユーザＩＤが「ＡＢＣ」であり、端末種別が「Ｄ」である携帯端末から、ＵＲＬが「ｈｔｔｐ：／／ｗｗｗ．ｓａｍｐｌｅ３．．．」であるサイトへのアクセス（閲覧要求）が行われた場合、モビライザを使用しない指示を示している。つまり、ユーザＩＤが「ＡＢＣ」であり、端末種別が「Ｄ」である携帯端末から、ＵＲＬが「ｈｔｔｐ：／／ｗｗｗ．ｓａｍｐｌｅ３．．．」であるサイトへのアクセス（閲覧要求）が行われた場合、送信先決定部２０２は、当該携帯端末から送信されてきた閲覧要求信号の送信先を、「ｈｔｔｐ：／／ｗｗｗ．ｓａｍｐｌｅ３．．．」（Ｗｅｂサーバ）に決定する。
【００３６】
また、サイトＵＲＬに「全てのＵＲＬ」または「その他のＵＲＬ」を選択可能に設定されているものであっても良いし、指示内容に「自動コンテンツ最適化サービスの既定の指示にお任せする」が選択可能に設定されているものであっても良い。
【００３７】
図６は、図２に示したデータベース３００内の指示内容データベースに記憶されている情報の他の例を示す図である。
【００３８】
図２に示したデータベース３００内の指示内容データベースには図６に示すように、ユーザＩＤと、条件と、指示内容とが対応付けられて記憶されている。
【００３９】
例えば、図６に示すように、ユーザＩＤ「ＡＢＣ」と、条件「端末種別＝Ｄ」と、指示内容「モビライザ＝ＮＯ＿ＵＳＥ」とが対応付けられて記憶されている。これは、ユーザＩＤが「ＡＢＣ」であり、端末種別が「Ｄ」である携帯端末から、Ｗｅｂサーバ５００−１〜５００−ｎに対して閲覧要求が行われた場合、モビライザを使用しない指示を示している。つまり、ユーザＩＤが「ＡＢＣ」であり、端末種別が「Ｄ」である携帯端末から、Ｗｅｂサーバ５００−１〜５００−ｎに対して閲覧要求が行われた場合、送信先決定部２０２は、当該閲覧要求信号の送信先を閲覧要求信号に含まれる宛先情報が示す宛先に決定する。また、ユーザＩＤ「ＡＢＣ」と、条件「閲覧先＝ｈｔｔｐ：／／ｗｗｗ．ｓａｍｐｌｅ４．．．」と、指示内容「ＵｓｅｒＡｇｅｎｔ＝ＰＣに変更」とが対応付けられて記憶されている。これは、ユーザＩＤが「ＡＢＣ」である携帯端末から、ＵＲＬが「ｈｔｔｐ：／／ｗｗｗ．ｓａｍｐｌｅ４．．．」であるサイトへのアクセス（閲覧要求）が行われた場合、送信先決定部２０２は、閲覧要求信号に含まれる端末種別を「ＰＣ」へ変更し、当該閲覧要求信号の送信先を閲覧要求信号に含まれる宛先情報が示す宛先に決定する。
【００４０】
また、条件に「全ての条件」または「その他の条件」を選択可能に設定されているものであっても良いし、指示内容に「自動コンテンツ最適化サービスの既定の指示にお任せする」が選択可能に設定されているものであっても良い。
【００４１】
なお、データベース３００やモビライザ４００は、制御装置２００内に具備されているものであっても良い。
【００４２】
モビライザ４００は、一般的に用いられているものであり、Ｗｅｂサーバ５００−１〜５００−ｎから送信されてきたコンテンツの出力（表示）形式を端末種別に応じた出力形式へ変換（最適化）する変換手段である。また、モビライザ４００には、個々に、モビライザ４００を識別可能なモビライザ種別情報（変換手段識別情報）があらかじめ付与されている。
【００４３】
Ｗｅｂサーバ５００−１〜５００−ｎは、Ｗｅｂサイトを構築するサーバである。
【００４４】
以下に、図１に示した通信システムにおける制御方法について説明する。ここでの処理の主体は、制御装置２００である。
【００４５】
図７は、図１に示した通信システムにおける制御方法を説明するためのフローチャートである。
【００４６】
まず、携帯端末１００から送信された閲覧要求信号を制御装置２００が受信すると（ステップＳ１）、抽出部２０１が、受信した閲覧要求信号から宛先情報（サイトＵＲＬ）および端末種別情報を抽出する（ステップＳ２）。この閲覧要求信号には、宛先情報および端末種別情報のほかに、携帯端末１００のＩＰ（Ｉｎｔｅｒｎｅｔ  Ｐｒｏｔｏｃｏｌ）アドレスが含まれる。また、抽出部２０１は、端末種別情報を、例えば、ＨＴＴＰリクエストのＵｓｅｒＡｇｅｎｔの項目から読み取る。このとき、端末種別情報に基づいて、閲覧要求信号を送信した携帯端末１００が非力な端末であるかどうかを判定する処理を行っても良い。また、制御装置２００は、抽出部２０１が抽出したサイトＵＲＬを、その日時を示す日時情報とともにログとして記憶しておく。
【００４７】
続いて、送信先決定部２０２は、抽出部２０１が抽出したサイトＵＲＬおよび端末種別情報に基づいて、当該閲覧要求信号の送信先を決定する（ステップＳ３）。この決定方法について、具体的に説明する。
【００４８】
まず、送信先決定部２０２は、携帯端末１００のインターネット６００への接続の際に用いた認証情報に含まれるユーザＩＤをデータベース３００の指示内容データベースから検索する。このとき、送信先決定部２０２は、当該ユーザＩＤに対応する指示内容データベースを参照し、閲覧要求信号に含まれる端末種別情報とサイトＵＲＬとが当該指示内容データベースにあるかどうかを判定する。閲覧要求信号に含まれる端末種別情報とサイトＵＲＬとが指示内容データベースにある場合、送信先決定部２０２は、それらに対応して指示内容データベースに記憶されている指示内容に従って送信先を決定する。例えば、図５に示したような対応付けが指示内容データベースに記憶されている場合、指示内容が「モビライザ＝Ｃ＿ＧＷ」であれば、送信先決定部２０２は、閲覧要求信号の送信先をＣ＿ＧＷに決定する。また、指示内容が「モビライザ＝ＮＯ＿ＵＳＥ」であれば、送信先決定部２０２は、閲覧要求信号の送信先をサイトＵＲＬに決定する。また、図６に示したような対応付けが指示内容データベースに記憶されている場合、指示内容が「ＵｓｅｒＡｇｅｎｔ＝ＰＣに変更」であれば、送信先決定部２０２は、閲覧要求信号の端末種別情報を「ＰＣ」に変更して、変更した閲覧要求信号の送信先をサイトＵＲＬに決定する。
【００４９】
一方、携帯端末１００のインターネット６００への接続の際に用いた認証情報に含まれるユーザＩＤと、閲覧要求信号に含まれるサイトＵＲＬおよび端末種別情報とが指示内容データベースにない場合、送信先決定部２０２は、データベース３００の最適化可否データベースを参照し、閲覧要求信号に含まれるサイトＵＲＬと端末種別情報との組み合わせが当該最適化可否データベースにあるかどうかを判定する。閲覧要求信号に含まれるサイトＵＲＬと端末種別情報との組み合わせが当該最適化可否データベースにある場合、送信先決定部２０２は、その組み合わせに対応する最適化可否情報に従って当該閲覧要求信号の送信先を決定する。例えば、最適化可否情報が「可」である場合、送信先決定部２０２は、閲覧要求信号に含まれるサイトＵＲＬを閲覧要求信号の送信先に決定する。これは、最適化可否情報が「可」であるものは、その端末種別情報の携帯端末１００から当該サイトＵＲＬへアクセスした場合であっても、コンテンツがＷｅｂサーバ５００−１〜５００−ｎにて携帯端末１００における最適な出力形式へ変換されるか、変換が不要であり、モビライザ４００での変換は不要であるからである。
また、最適化可否情報が「否」である場合、送信先決定部２０２は、モビライザ４００を閲覧要求信号の送信先に決定する。また、その組み合わせがない場合は、送信先決定部２０２は、サイトＵＲＬを閲覧要求信号の送信先に決定する。なお、上述した指示内容データベースにて、自動コンテンツ最適化サービスの既定の指示にお任せする等最適化可否データベースを使用するという指示がある場合も、この処理が行われる。
【００５０】
送信先決定部２０２は、最適化可否情報が「否」であることにより、モビライザ４００を閲覧要求信号の送信先に決定した場合、データベース３００の対応可否データベースを参照し、当該サイトＵＲＬに対して変換が可能な（モビライザ可否情報が「可」である）モビライザ種別情報であるモビライザを、閲覧要求信号の送信先に決定する。モビライザ可否情報が「否」であるものについては、送信先決定部２０２は、当該サイトＵＲＬを閲覧要求信号の送信先に決定しても良いし、制御装置２００が、送信先を選択できるような情報を、当該閲覧要求信号を送信してきた携帯端末１００へ送信するものであっても良い。
【００５１】
送信先決定部２０２が閲覧要求信号の送信先を決定すると、送信部２０３は、決定した送信先へ閲覧要求信号を送信する。つまり、送信先決定部２０２が閲覧要求信号の送信先をモビライザ４００に決定した場合、送信部２０３は、当該閲覧要求信号をモビライザ４００へ送信する（ステップＳ４）。一方、送信先決定部２０２が閲覧要求信号の送信先をサイトＵＲＬが示すＷｅｂサーバ５００−１〜５００−ｎに決定した場合、送信部２０３は、当該閲覧要求信号をサイトＵＲＬが示すＷｅｂサーバ５００−１〜５００−ｎへ送信する（ステップＳ５）。
【００５２】
ステップＳ４にてモビライザ４００へ送信された閲覧要求信号は、Ｗｅｂサーバ５００−１〜５００−ｎへ送信され、それに対してＷｅｂサーバ５００−１〜５００−ｎから送信されてきたコンテンツの出力形式を、モビライザ４００は、携帯端末１００の端末種別情報に応じた出力形式へ変換する。モビライザ４００は出力形式を変換したコンテンツを、閲覧要求信号に含まれる、携帯端末１００を識別可能なＩＰアドレスを用いて、携帯端末１００へ送信する。
【００５３】
登録部２０４は、上述したように処理をした内容をログとしてデータベース３００に登録する。この登録された内容は、次回以降の処理に用いられる。
【００５４】
また、登録部２０４が、閲覧要求信号を生成し、モビライザ４００やＷｅｂサーバ５００−１〜５００−ｎへ送信して、その結果をデータベース３００に登録するものであっても良い。
【００５５】
図８は、図２に示した登録部２０４が、閲覧要求信号を生成し、モビライザ４００やＷｅｂサーバ５００−１〜５００−ｎへ送信して、その結果をデータベース３００に登録する登録処理の一例を説明するためのフローチャートである。
【００５６】
まず、登録部２０４が、閲覧要求信号を生成する（ステップＳ１１）。この閲覧要求信号は、閲覧先に様々なサイトＵＲＬを設定し、端末種別情報に様々な端末種別情報を設定する。また、登録部２０４は、すでにデータベース３００にログとして記憶されている端末種別情報とサイトＵＲＬとの組み合わせを用いて、閲覧要求信号を生成しても良い。そして、登録部２０４は、生成した閲覧要求信号を、送信部２０３を介してＷｅｂサーバ５００−１〜５００−ｎへ送信する（ステップＳ１２）。この送信するタイミングは、あらかじめ設定された日時や、周期的なものであっても良い。
【００５７】
その後、登録部２０４は、送信した閲覧要求信号に対するコンテンツがＷｅｂサーバ５００−１〜５００−ｎから送信されてきたかどうかを判定する（ステップＳ１３）。登録部２０４は、Ｗｅｂサーバ５００−１〜５００−ｎから送信されてきたコンテンツに対して出力形式の変換が必要かどうかを判定する（ステップＳ１４）。具体的には、登録部２０４は、送信されてきたコンテンツの内容、容量（ホームページサイズ、画像サイズ）、リダイレクト発生の有無、リダイレクト先ＵＲＬの相違点などを比較することによって、判定を行う。例えば、端末種別情報をＰＣ用ブラウザに設定した場合に得られたホームページデータの文字やタグと、端末種別情報をスマートフォン用ブラウザに設定した場合に得られたホームページデータの文字やタグとが、同じでない場合、登録部２０４は、コンテンツは最適化されている、つまり出力形式の変換は不要であると判定する。一方、これらが、互いに同じである場合は、登録部２０４は、コンテンツは最適化されていない、つまり出力形式の変換が必要であると判定する。また、端末種別情報をＰＣ用ブラウザに設定した場合に得られたホームページデータのサイズと比べて、端末種別情報をスマートフォン用ブラウザに設定した場合に得られたホームページデータのサイズが小さければ、登録部２０４は、コンテンツは最適化されている、つまり出力形式の変換は不要であると判定する。一方、これらが、互いに同じである場合は、登録部２０４は、コンテンツは最適化されていない、つまり出力形式の変換が必要であると判定する。
【００５８】
また、端末種別情報をＰＣ用ブラウザに設定した場合にリダイレクトが発生せず、端末種別情報をスマートフォン用ブラウザに設定した場合にリダイレクトが発生すれば、登録部２０４は、コンテンツは最適化されている、つまり出力形式の変換は不要であると判定する。一方、端末種別情報をスマートフォン用ブラウザに設定した場合であっても、リダイレクトが発生しなければ、登録部２０４は、コンテンツは最適化されていない、つまり出力形式の変換が必要であると判定する。また、端末種別情報をＰＣ用ブラウザに設定した場合にリダイレクトが発生し、端末種別情報をスマートフォン用ブラウザに設定した場合にリダイレクトが発生した場合には、登録部２０４は、リダイレクト先のＵＲＬが違えばコンテンツは最適化されている、つまり出力形式の変換は不要であると判定する。一方、リダイレクト先のＵＲＬが同じであれば、登録部２０４は、コンテンツは最適化されていない、つまり出力形式の変換は必要であると判定する。
【００５９】
そして、登録部２０４は、出力形式の変換が必要でないと判定した場合、そのサイトＵＲＬと端末種別情報と、最適化可否情報「可」とを、判定した日時を示す確認時刻と対応付けて、データベース３００の最適化可否データベースに登録する（ステップＳ１５）。
【００６０】
一方、登録部２０４は、出力形式の変換が必要であると判定した場合は、生成した閲覧要求信号を、送信部２０３を介してモビライザ４００へ送信する（ステップＳ１６）。つまり、登録部２０４は、生成した閲覧要求信号を、モビライザ４００を経由して、閲覧要求信号に含まれる閲覧先であるサイトＵＲＬのＷｅｂサーバ５００−１〜５００−ｎへ送信する。このとき、モビライザ４００が複数ある場合は、登録部２０４は、その複数のモビライザ４００それぞれに対して閲覧要求信号を送信する。
【００６１】
その後、登録部２０４は、送信した閲覧要求信号に対するコンテンツがＷｅｂサーバ５００−１〜５００−ｎからモビライザ４００を経由して送信されてきたかどうかを判定する（ステップＳ１７）。登録部２０４は、Ｗｅｂサーバ５００−１〜５００−ｎからモビライザ４００を経由して送信されてきたコンテンツに対してモビライザ４００の対応可否を判定する。この判定方法は、閲覧不能の旨の返答を受信するか否かで、判定する。また、登録部２０４は、ステップＳ１４と同様の手法を用いて、モビライザ４００の対応可否を判定するものであっても良い。
【００６２】
その後、登録部２０４は、その判定結果をデータベース３００に登録する（ステップＳ１８）。具体的には、登録部２０４は、そのサイトＵＲＬと端末種別情報と、最適化可否情報「否」とを、判定した日時を示す確認時刻と対応付けて、データベース３００の最適化可否データベースに登録し、各モビライザ４００にて出力形式の変換が可能かどうかの情報を、そのサイトＵＲＬとモビライザ種別情報と、判定した日時を示す確認時刻と対応付けて、データベース３００の対応可否データベースに登録する。
【００６３】
なお、上述したような登録処理においては、登録部２０４は、最適化可否データベースへの登録と、対応可否データベースへの登録とを一連の処理として行っているが、それらを別個の処理として行うものであっても良い。つまり、ステップＳ１３にてコンテンツを受信した後、その結果を登録部２０４が最適化可否データベースに登録する処理のみを行うフローと、ステップＳ１１の処理の後にステップＳ１６、Ｓ１７の処理を行って、その結果を登録部２０４が対応可否データベースに登録する処理のみを行うフローとを別個に行うものであっても良い。
【００６４】
このようにデータベース３００に登録された情報は、その後に行われるステップＳ３の判定基準として用いられる。
【００６５】
また、登録部２０４は、現在よりも所定の時間以上前にデータベース３００に登録された情報を削除するものであって良い。
【００６６】
また、指示内容データベースの内容は、携帯端末１００からアクセス可能な設定ホームページを介して、携帯端末１００から更新可能なものであっても良い。このとき、携帯端末１００からのアクセス開始時に行われる認証処理により、ユーザＩＤを特定し、指示内容データベースからユーザＩＤに対応する情報を読み出し、端末種別情報やサイトＵＲＬ、またはそれらの条件、指示内容を選択または入力可能な設定ホームページを携帯端末１００に表示させる。その表示に従い、利用者が携帯端末１００に情報の選択または入力を行って、指示内容データベースの更新を行うものであっても良い。また、制御装置２００が、携帯端末１００へ送信するコンテンツ（ホームページデータを含む）に、このコンテンツ（ページ）の閲覧に、「次回以降、モビライザを用いるか？」や「最適化サイトで閲覧するか？」、「他の端末種別で閲覧するか？（するの場合はどの端末か）」などの情報を選択や入力するメニューを挿入し、メニューに対して選択、入力された回答に基づいて、そのユーザＩＤの指示内容データベースを更新しても良い。また、指示内容データベースは、携帯端末１００にクッキー情報などとして記憶されているものであっても良い。その場合は、閲覧要求信号にクッキー情報として含めて、制御装置２００へ送信する。
【００６７】
また、送信先決定部２０２は、最適化可否データベースを確認してから、指示内容データベースを用いて処理をしても良い。また、利用者自身による指示内容データベースと、最適化可否データベースとのいずれか一方だけを用いても良い。
【００６８】
このように、コンテンツの圧縮と最適化とを行うために、外部のモビライザ４００を利用して行うか否かを判定し、適した送信先に閲覧要求信号を送信することで、利用者に負担をかけずに、制約のある通信端末に最適な形式でコンテンツを出力させることができる。
【００６９】
上述した制御装置２００に設けられた各構成要素が行う処理は、目的に応じてそれぞれ作製された論理回路で行うようにしても良い。また、処理内容を手順として記述したコンピュータプログラム（以下、プログラムと称する）を制御装置２００にて読取可能な記録媒体に記録し、この記録媒体に記録されたプログラムを制御装置２００に読み込ませ、実行するものであっても良い。制御装置２００にて読取可能な記録媒体とは、フロッピー（登録商標）ディスク、光磁気ディスク、ＤＶＤ、ＣＤなどの移設可能な記録媒体の他、制御装置２００に内蔵されたＲＯＭ、ＲＡＭ等のメモリやＨＤＤ等を指す。この記録媒体に記録されたプログラムは、制御装置２００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００７０】
上記の実施の形態の一部または全部は、以下の付記のようにも記載され得るが、以下には限られない。
（付記１）通信端末から送信された、コンテンツの閲覧を要求するための閲覧要求信号から、閲覧先を示す宛先情報と、該通信端末の種別を示す端末種別情報とを抽出する抽出部と、
前記抽出部が抽出した宛先情報と端末種別情報とに基づいて、該閲覧要求信号の送信先を、前記閲覧先と前記コンテンツの出力形式を変換する変換手段とのいずれか一方に決定する送信先決定部と、
前記送信先決定部が決定した送信先へ、前記閲覧要求信号を送信する送信部とを有し、
前記送信先決定部は、前記抽出部が抽出した宛先情報および端末種別情報と、最適化可否データベースに記憶されている宛先情報、端末種別情報およびコンテンツの出力形式の変換の要否とに基づいて、該閲覧要求信号の送信先を決定する制御装置。
（付記２）前記閲覧要求信号を生成し、該生成した閲覧要求信号を所定のタイミングで前記送信部を介して前記閲覧先へ送信し、該閲覧先から送信されてきたコンテンツに基づいて、前記コンテンツの出力形式の変換の要否を判定し、該判定した結果と、該閲覧要求信号に含まれる前記宛先情報および前記端末種別情報とを対応付けて前記最適化可否データベースに登録する登録部を有することを特徴とする、付記１に記載の制御装置。
（付記３）前記送信先決定部は、前記閲覧要求信号の送信先を前記変換手段に決定した場合、前記宛先情報と、前記変換手段を識別するための変換手段識別情報と、該変換手段にて該宛先情報が示す閲覧先から送信されるコンテンツの出力形式を変換可能かどうかを示す変換可否情報とを対応付けて記憶する対応可否データベースにて、変換可能を示す変換可否情報と対応付けられている変換手段識別情報が付与された変換手段を送信先として決定することを特徴とする、付記２に記載の制御装置。
（付記４）前記登録部は、前記生成した閲覧要求信号を所定のタイミングで前記送信部を介して前記変換手段へ送信し、該変換手段から送信されてきたコンテンツに基づいて、該閲覧要求信号に含まれる前記宛先情報と、該変換手段を識別するための変換手段識別情報と、前記変換可否情報とを対応付けて前記対応可否データベースに登録することを特徴とする、付記３に記載の制御装置。
（付記５）前記登録部は、前記閲覧要求信号の送信履歴を指示内容データベースに登録し、
前記送信先決定部は、前記指示内容データベースに記憶された送信履歴に基づいて、前記閲覧要求信号の送信先を決定することを特徴とする、付記２から４のいずれか１項に記載の制御装置。
（付記６）前記最適化可否データベースを具備することを特徴とする、付記１から４のいずれか１項に記載の制御装置。
（付記７）前記対応可否データベースを具備することを特徴とする、付記３または付記４に記載の制御装置。
（付記８）前記端末種別情報は、前記通信端末において動作するソフトウェアを示す情報であることを特徴とする、付記から７のいずれか１項に記載の制御装置。
（付記９）通信端末と、制御装置と、コンテンツの出力形式を変換する変換手段と、最適化可否データベースとを有する通信システムにおいて、
前記最適化可否データベースは、前記コンテンツの閲覧先を示す宛先情報と、前記通信端末の種別を示す端末種別情報と、コンテンツの出力形式の変換の要否とを対応付けて記憶し、
前記制御装置は、
前記通信端末から送信された、コンテンツの閲覧を要求するための閲覧要求信号から、前記宛先情報と前記端末種別情報とを抽出する抽出部と、
前記抽出部が抽出した宛先情報と端末種別情報とに基づいて、該閲覧要求信号の送信先を、前記閲覧先と前記変換手段とのいずれか一方に決定する送信先決定部と、
前記送信先決定部が決定した送信先へ、前記閲覧要求信号を送信する送信部とを有し、
前記送信先決定部は、前記抽出部が抽出した宛先情報および端末種別情報と、前記最適化可否データベースに記憶されている対応付けとに基づいて、該閲覧要求信号の送信先を決定することを特徴とする通信システム。
（付記１０）前記制御装置は、
前記閲覧要求信号を生成し、該生成した閲覧要求信号を所定のタイミングで前記送信部を介して前記閲覧先へ送信し、該閲覧先から送信されてきたコンテンツに基づいて、前記コンテンツの出力形式の変換の要否を判定し、該判定した結果と、該閲覧要求信号に含まれる前記宛先情報および前記端末種別情報とを対応付けて前記最適化可否データベースに登録する登録部を有することを特徴とする、付記９に記載の通信システム。
（付記１１）前記宛先情報と、前記変換手段を識別するための変換手段識別情報と、該変換手段にて該宛先情報が示す閲覧先から送信されるコンテンツの出力形式を変換可能かどうかを示す変換可否情報とを対応付けて記憶する対応可否データベースを有し、
前記送信先決定部は、前記閲覧要求信号の送信先を前記変換手段に決定した場合、前記対応可否データベースにて、変換可能を示す前記変換可否情報と対応付けられている前記変換手段識別情報が付与された変換手段を送信先として決定することを特徴とする、付記１０に記載の通信システム。
（付記１２）前記登録部は、前記生成した閲覧要求信号を所定のタイミングで前記送信部を介して前記変換手段へ送信し、該変換手段から送信されてきたコンテンツに基づいて、該閲覧要求信号に含まれる前記宛先情報と、該変換手段を識別するための変換手段識別情報と、前記変換可否情報とを対応付けて前記対応可否データベースに登録することを特徴とする、付記１１に記載の通信システム。
（付記１３）コンテンツの閲覧を制御する制御方法であって、
通信端末から送信された、コンテンツの閲覧を要求するための閲覧要求信号から、閲覧先を示す宛先情報と、該通信端末の種別を示す端末種別情報とを抽出する処理と、
前記抽出した宛先情報および端末種別情報と、最適化可否データベースに記憶されている宛先情報、端末種別情報およびコンテンツの出力形式の変換の要否とに基づいて、該閲覧要求信号の送信先を、前記閲覧先と前記コンテンツの出力形式を変換する変換手段とのいずれか一方に決定する処理と、
前記決定した送信先へ前記閲覧要求信号を送信する処理とを行う制御方法。
（付記１４）前記閲覧要求信号を生成する処理と、
前記生成した閲覧要求信号を所定のタイミングで前記閲覧先へ送信する処理と、
前記閲覧先から送信されてきたコンテンツに基づいて、前記コンテンツの出力形式の変換の要否を判定する処理と、
前記判定した結果と、該閲覧要求信号に含まれる前記宛先情報および前記端末種別情報とを対応付けて前記最適化可否データベースに登録する処理とを行うことを特徴とする、付記１３に記載の制御方法。
（付記１５）前記閲覧要求信号の送信先を前記変換手段に決定した場合、前記宛先情報と、前記変換手段を識別するための変換手段識別情報と、該変換手段にて該宛先情報が示す閲覧先から送信されるコンテンツの出力形式を変換可能かどうかを示す変換可否情報とを対応付けて記憶する対応可否データベースにて、変換可能を示す変換可否情報と対応付けられている変換手段識別情報が付与された変換手段を送信先として決定する処理を行うことを特徴とする、付記１４に記載の制御方法。
（付記１６）前記生成した閲覧要求信号を所定のタイミングで前記変換手段へ送信する処理と、
前記変換手段から送信されてきたコンテンツに基づいて、該閲覧要求信号に含まれる前記宛先情報と、該変換手段を識別するための変換手段識別情報と、前記変換可否情報とを対応付けて前記対応可否データベースに登録する処理とを行うことを特徴とする、付記１５に記載の制御方法。
（付記１７）コンピュータに、
通信端末から送信された、コンテンツの閲覧を要求するための閲覧要求信号から、閲覧先を示す宛先情報と、該通信端末の種別を示す端末種別情報とを抽出する手順と、
前記抽出した宛先情報および端末種別情報と、最適化可否データベースに記憶されている宛先情報、端末種別情報およびコンテンツの出力形式の変換の要否とに基づいて、該閲覧要求信号の送信先を、前記閲覧先と前記コンテンツの出力形式を変換する変換手段とのいずれか一方に決定する手順と、
前記決定した送信先へ前記閲覧要求信号を送信する手順とを実行させるためのプログラム。
（付記１８）前記閲覧要求信号を生成する手順と、
前記生成した閲覧要求信号を所定のタイミングで前記閲覧先へ送信する手順と、
前記閲覧先から送信されてきたコンテンツに基づいて、前記コンテンツの出力形式の変換の要否を判定する手順と、
前記判定した結果と、該閲覧要求信号に含まれる前記宛先情報および前記端末種別情報とを対応付けて前記最適化可否データベースに登録する手順とを実行させるための、付記１７に記載のプログラム。
（付記１９）前記閲覧要求信号の送信先を前記変換手段に決定した場合、前記宛先情報と、前記変換手段を識別するための変換手段識別情報と、該変換手段にて該宛先情報が示す閲覧先から送信されるコンテンツの出力形式を変換可能かどうかを示す変換可否情報とを対応付けて記憶する対応可否データベースにて、変換可能を示す変換可否情報と対応付けられている変換手段識別情報が付与された変換手段を送信先として決定する手順を実行させるための、付記１８に記載のプログラム。
（付記２０）前記生成した閲覧要求信号を所定のタイミングで前記変換手段へ送信する手順と、
前記変換手段から送信されてきたコンテンツに基づいて、該閲覧要求信号に含まれる前記宛先情報と、該変換手段を識別するための変換手段識別情報と、前記変換可否情報とを対応付けて前記対応可否データベースに登録する手順とを実行させるための、付記１９に記載のプログラム。
【符号の説明】
【００７１】
１００    携帯端末
２００    制御装置
２０１    抽出部
２０２    送信先決定部
２０３    送信部
２０４    登録部
３００    データベース
４００    モビライザ
５００−１〜５００−ｎ    Ｗｅｂサーバ
６００    インターネット
【図１】
2014056394.tif 000003
【図２】
2014056394.tif 000004
【図３】
2014056394.tif 000005
【図４】
2014056394.tif 000006
【図５】
2014056394.tif 000007
【図６】
2014056394.tif 000008
【図７】
2014056394.tif 000009
【図８】
2014056394.tif 000010